(57)【特許請求の範囲】
【請求項１】
平面型表示装置を壁面等に取り付けるのに使用される平面型表示装置取り付け金具であって、
装置取り付け面に固定されるベース部材と、
ベース部材の正面側に平面型表示装置を支持し、その平面型表示装置が正規の支持位置から正面側へ引き出されるように装置支持部材が移動可能に構成された装置支持機構と、
前記装置支持部材を正規の支持位置に自動ロックすると共にそのロック状態を解除する操作部が、前記装置支持部材に支持された平面型表示装置の縁部背面側に位置するロック機構とを具備し、
前記ロック機構は、前記装置支持機構の装置支持部材に係合するとともにその係合方向に付勢されたフックと、
該フックを開放方向へ操作しかつ操作部が前記装置支持部材に支持された平面型表示装置の縁部背面側に位置する操作レバーとを有することを特徴とする平面型表示装置取り付け金具。
【請求項２】
前記操作レバーは、前記装置支持部材に支持される平面型表示装置のサイズに応じて取り付け位置が変更可能である請求項１に記載の平面型表示装置取り付け金具。
【請求項３】
前記装置支持機構は、２本のレバーがＸ形に組み合わされ交差部が回動可能に連結されたリンク機構を用いた請求項１に記載の平面型表示装置取り付け金具。
【請求項４】
前記リンク機構の正面側に前記装置支持部材が昇降可能に支持され、前記装置支持部材に、その支持レベルを調節する高さ調整機構が設けられていることを特徴とする請求項３に記載の平面型表示装置取り付け金具。
【発明の詳細な説明】
【０００１】
【発明の属する技術分野】
本発明は、プラズマディスプレイパネル、液晶表示パネル等の平面型表示装置を壁面等に取り付けるのに使用される平面型表示装置取り付け金具に関し、特に、複数の平面型表示装置を縦横に組み合わせて大型表示画面を構成するのに適した平面型表示装置取り付け金具に関する。
【０００２】
【従来の技術】
近年、液晶表示パネル、プラズマディスプレイパネル等の平面型表示装置の需要が急増しており、これに伴って、これらの平面型表示装置を縦横に組み合わせて大型表示画面を構成するケースが増加している。平面型表示装置は、ブラウン管式表示装置と比べて、厚みが極端に薄く、軽量であるため、縦横に配列する場合の取り付け金具を簡素化できる利点もある。
【０００３】
複数の平面型表示装置を縦横に組み合わせて大型表示画面を構成するのに使用される取り付け金具としては、装置取り付け面に固定される枠状の固定フレームに、固定フレームの正面側へ引き出されるように枠状の可動フレームを組み合わせたものは、既に提示されている。
【０００４】
【発明が解決しようとする課題】
ところで、このような平面型表装置取り付け金具では、平面型表示装置のメンテナンスを行なう場合に、可動フレームを引き出し、平面型表示装置の背面を露出させる必要がある。４個の平面型表示装置が縦横に２個ずつ配列されている２×２の配置形態の場合は、各取り付け金具の２辺が外側へ露出して開放し、背面側の操作が可能なため、任意の平面型表示装置を正面側へ即座に引き出すことができる。
【０００５】
ところが、９個の平面型表示装置が縦横に３個ずつ配列されている３×３の配置形態の場合、周囲の８個の平面型表示装置については、取り付け金具の少なくとも１辺が外側へ露出し開放されているため、任意の平面型表示装置を正面側へ即座に引き出すことができるが、これらに囲まれた中央の平面型表示装置については、４辺が全て囲まれ閉鎖されているので、周囲の何れかの平面型表示装置を引き出し、取り外してからでないと、その平面型表示装置の引き出しを行なうことができない。
【０００６】
平面型表示装置の個数が更に増えた場合は、場所によっては多くの平面型表示装置を端から順番に取り外していく必要があり、この点において、大型表示画面を構成したときの整備性に大きな問題がある。
【０００７】
本発明はかかる事情に鑑みて創案されたものであり、３×３或いはそれ以上の大型表示画面を形成した場合にも、任意の平面型表示装置を正面側へ簡単に引き出すことができる整備性に優れた平面型表示装置取り付け金具を提供することを目的とする。
【０００８】
上記目的を達成するために、本発明に係る平面型表示装置取り付け金具は、平面型表示装置を壁面等に取り付けるのに使用される平面型表示装置取り付け金具であって、装置取り付け面に固定されるベース部材と、ベース部材の正面側に平面型表示装置を支持し、その平面型表示装置が正規の支持位置から正面側へ引き出されるように装置支持部材が移動可能に構成された装置支持機構と、前記装置支持部材を正規の支持位置に自動ロックすると共にそのロック状態を解除する操作部が、前記装置支持部材に支持された平面型表示装置の縁部背面側に位置するロック機構とを具備し、前記ロック機構は、前記装置支持機構の装置支持部材に係合するとともにその係合方向に付勢されたフックと、該フックを開放方向へ操作しかつ操作部が前記装置支持部材に支持された平面型表示装置の縁部背面側に位置する操作レバーとを有することを特徴としている。これによると、ロック機構が簡単になり、且つロック状態の解除操作が簡単になる。
【００１１】
前記操作レバーは、前記装置支持部材に支持される平面型表示装置のサイズに応じて取り付け位置が変更可能な構成が好ましい。これにより、平面型表示装置のサイズが変わっても、操作性の低下が回避される。
【００１４】
前記装置支持機構、特に平面型表示装置を引き出す機構としては、２本のレバーがＸ形に組み合わされ交差部が回動可能に連結されたリンク機構を用いたものが、構成が簡単で好ましい。そのリンク機構の正面側に前記装置支持部材を昇降可能に支持し、前記装置支持部材に、その支持レベルを調節する高さ調整機構を設けることにより、平面型表示装置のレベル調整が可能になる。
【００１５】
【発明の実施の形態】
以下に本発明の実施形態を図面に基づいて説明する。図１は本発明の一実施形態を示す平面型表示装置取り付け金具の斜視図、図２は同平面型表示装置取り付け金具の平面図、図３（ａ）〜（ｃ）は同平面型表示装置取り付け金具に設けられた高さ調整機構の構造説明図、図４（ａ）〜（ｆ）は同平面型表示装置取り付け金具の使用状態及び使用方法を段階的に説明するための斜視図である。
【００１６】
本実施形態に係る平面型表示装置取り付け金具は、平面型表示装置としてのプラズマディスプレイパネルを縦横に複数組み合わせて大型表示画面を構成するのに使用され、より詳細には、複数サイズ、ここでは３７インチ、４２インチ、５０インチのいずれのサイズのプラズマディスプレイパネルにも適用できる構成になっている。
【００１７】
具体的に説明すると、この取り付け金具は、図１に示すように、平面型表示装置を取り付ける装置取り付け面に固定される平板状のベース部材１０と、ベース部材１０の正面側にプラズマディスプレイパネルを支持し、且つそのプラズマディスプレイパネルが正規の支持位置から正面側へ引き出されるように、プラズマディスプレイパネルを移動可能に支持する装置支持機構２０と、プラズマディスプレイパネルを正規の支持位置にロックするロック機構３０とを備えている。
【００１８】
ベース部材１０は、長方形の金属板からなり、その４辺の側縁部には、装置取り付け面への固定のために、複数の長孔形状のねじ孔１１が設けられている。
【００１９】
装置支持機構２０は、１組の支持ユニット２０′，２０′からなる。１組の支持ユニット２０′，２０′は、ベース部材１０の両側部に取り付けられており、実質同一構成であるので、片側の支持ユニット２０′について構造・機能を詳述する。
【００２０】
支持ユニット２０′は、ベース部材１０の側部表面に縦向きに固定された固定式の装置支持部材２１と、その正面側にリンク機構２２を介して縦向きに片持ち支持された可動式の装置支持部材２３とを有している。固定式の装置支持部材２１は、アングル材からなり、ベース部材１０の側部表面に固着されている。この装置支持部材２１の上部両側面には、リンク機構２２のために長孔２４Ａが設けられている。
【００２１】
可動式の装置支持部材２３も、固定式の装置支持部材２１と同様のアングル材からなり、その上部両側面には、リンク機構２２のための長孔２４Ａに対応する長孔２４Ｂが設けられている。この装置支持部材２３の正面には、プラズマディスプレイパネルの裏面に設けられた取り付け用のフック部が係合する鍵孔状の開口部２５，２５が上下２段に設けられており、上段の開口部２５は上方に開放している。
【００２２】
リンク機構２２は、Ｘ形に組み合わされ交差部が回動可能に連結された２本のレバー２６，２６を、装置支持部材２１，２３の両側に配置した構成になっている。レバー２６，２６の一方は、下端部が装置支持部材２１の下部側面に回動可能に連結されており、上端部が、装置支持部材２３の上部側面に設けられた両側の長孔２４Ｂ，２４Ｂに挿通された連結棒２７Ｂの端部に回動可能に連結されている。レバー２６，２６の他方は、同様に、下端部が装置支持部材２３の下部側面に回動可能に連結されており、上端部が、装置支持部材２１の上部側面に設けられた両側の長孔２４Ａ，２４Ａに挿通された連結棒２７Ａの端部に回動可能に連結されている。
【００２３】
このようなリンク機構２２により、固定式の装置支持部材２１の正面側に可動式の装置支持部材２３が平行に支持される。また、連結棒２７Ａ，２７Ｂが長孔２４Ａ，２４Ｂ内を昇降可能であることから、装置支持部材２３が装置支持部材２１に接触する正規の支持位置から正面側へ平行状態を維持しつつ、平行移動的に引き出され、且つ元の位置へ後退し得る。
【００２４】
そして、両側の支持ユニット２０′，２０′の装置支持部材２３，２３にプラズマディスプレイパネルを取り付けることにより、両側の装置支持部材２３，２３が連結され、同期動作を行なう。これにより、装置支持部材２３，２３に取り付けられたプラズマディスプレイパネルは、正規の支持位置に支持されると共に、その支持位置から正面側へ平行移動的に引き出すことが可能となる。
【００２５】
両側の装置支持部材２３，２３の各下端部には、プラズマディスプレイパネルの支持レベルを微調整する高さ調整機構２８，２８がそれぞれ設けられている。各高さ調整機構２８は、両側に配置された他方のレバー２６，２６の下端部間に水平に掛け渡されて、装置支持部材２３の下端部を支持する第１支持棒２８ａと、装置支持部材２３の下端部に取り付けられた補強部材２８ｂと、補強部材２８ｂを貫通して装置支持部材２３の両側壁部間に水平に掛け渡された第２支持棒２８ｃと、第２支持棒２８ｃにより装置支持部材２３の下端部内で回動可能に支持された回動式の操作部材２８ｄと、操作部材２８ｄを操作するために補強部材２８ｂを貫通して装置支持部材２３の下端面に垂直に取り付けられた調整ネジ２８ｅとを備えている。
【００２６】
より詳しくは、図３に示すように、第１支持棒２８ａは、装置支持部材２３の両側壁部を水平方向に貫通しており、各貫通孔２８ｆは高さ方向に延びた長孔になっている。これにより、装置支持部材２３は、第１支持棒２８ａ、ひいてはリンク機構２３に対して昇降可能となる。第１支持棒２８ａは又、回動式の操作部材２８ｄの両側壁部を水平方向に貫通しており、各貫通孔２８ｇは、操作部材２８ｄの回動を阻害しないために前後方向に延びた長孔になっている。
【００２７】
回動式の操作部材２８ｄは、支持軸である第２支持棒２８ｃを挟んで一方の側が調整ネジ２８ｅの操作により昇降駆動される。他方の側は、当該操作部材２８ｄを水平に貫通する第１支持棒２８ａにより高さ方向で固定的に支持されている。このため、調整ネジ２８ｅの操作により操作部材２８ｄの一方の側を上昇させると、他方の側が下降し、第１支持棒２８ａが相対的に低下することにより、装置支持部材２３が第１支持棒２８ａに対して相対的に上昇する（図３（ｃ）参照）。逆に、操作部材２８ｄの一方の側を下降させると、他方の側が上昇し、第１支持棒２８ａが相対的に上昇することにより、装置支持部材２３が第１支持棒２８ａに対して相対的に下降する（図３（ａ）参照）。
【００２８】
かくして、高さ調整機構２８により、リンク機構２２に対する装置支持部材２３の支持レベルを微調整することが可能となる。
【００２９】
ロック機構３０は、両側の装置支持部材２１，２１に跨がって設けられた水平な連結支持棒３１と、連結支持棒３１の両端部に取り付けられたフック３２，３２と、同じく連結支持棒３１の両端部に取り付けられた操作レバー３３，３３とを備えている。
【００３０】
連結支持棒３１は、中空の管材であり、装置支持部材２１，２１に取り付けられた支持部材３４，３４により回動自在に支持されている。フック３２，３２は、装置支持部材２３，２３の上部に係合してこれらを正規の支持位置に固定する部材であり、連結支持棒３１の両端部に装着されたスプリング３９，３９により下方へ付勢されている。この付勢により、フック３２，３２は、正面側へ引き出された装置支持部材２３，２３が正規の支持位置へ戻ったときには自動的に開いて装置支持部材２３，２３を正規の支持位置に固定するが、この状態で装置支持部材２３，２３が正面側へ引かれても固定状態が解除されることはない。この解除は、後述する操作レバー３３，３３の回動操作により行なわれる。
【００３１】
操作レバー３３，３３は、Ｌ状に折り曲げられた棒状部材である。各操作レバー３３は、長辺部が管状部材からなる連結支持棒３１の端部内に挿入され、連結支持棒３１及び操作レバー３３を直径方向に貫通するピン３５により回動不能に結合されている。ピン３５を貫通させるために連結支持棒３１に形成されたピン孔３６は、連結支持棒３１の端部軸方向に所定間隔で複数設けられている。
【００３２】
操作レバー３３の短辺部は、操作部３７であり、プラズマディスプレイパネルの側縁部の裏側に位置する。そして、複数のピン孔３６を選択的に使用することにより、操作レバー３３の長辺部の挿入深さが調節され、操作部３７の位置がプラズマディスプレイパネルのサイズに応じて調節される。ここでは、図２に示すように、プラズマディスプレイパネル４０は３７インチ、４２インチ、５０インチの３サイズが適用可能であるので、操作部３７の位置は３段階に調節され、いずれのプラズマディスプレイパネル４０の場合も、その側縁部の裏側に操作部３７を位置させることができる。
【００３３】
これに関連して、ベース部材１０はプラズマディスプレイパネルの真後ろに位置し、その縦横の寸法は、最小サイズ（ここでは３７インチ）のプラズマディスプレイパネルの寸法と同じかこれより小さく設定されている。
【００３４】
次に、本実施形態に係る平面型表示装置取り付け金具の使用方法及び機能について図４（ａ）〜（ｆ）により説明する。
【００３５】
図４（ａ）に示すように、所定数のプラズマディスプレイパネル４０が縦横に隙間なく配列されるように、各プラズマディスプレイパネル４０の取り付け金具を取り付け面に固定する。ここでは９個のプラズマディスプレイパネル４０の縦横に３個ずつ配列され、取り付け金具も３個ずつ配列される。各取り付け金具は、プラズマディスプレイパネル４０の各サイズに共用され、大型のプラズマディスプレイパネル４０を取り付ける場合ほど、取り付け金具の配列ピッチが大きくされる。
【００３６】
所定数のプラズマディスプレイパネル４０に対応する所定数の取り付け金具の固定が終わると、各取り付け金具にプラズマディスプレイパネル４０を取り付ける。これにより、所定数のプラズマディスプレイパネル４０が縦横に隙間なく配列され、所定サイズのフラットな大画面が形成される。プラズマディスプレイパネル４０の取り付け方法は後で説明する。
【００３７】
特定のプラズマディスプレイパネル４０のメンテナンス、修理等を行なうには、そのプラズマディスプレイパネル４０を正面側へ引き出し、背面を開放するが、両側のプラズマディスプレイパネル４０を正面側へ引き出すには、図４（ａ）に示すように、対応する取り付け金具の開放されている側面から指先を入れて、ロック機構３０のフック３２，３２が開放される方向へ操作レバー３３の操作部３７を操作する。操作レバー３３の操作部３７は、プラズマディスプレイパネル４０の側縁部の裏側にあるので、この操作はスムーズに実行される。
【００３８】
ロック機構３０のフック３２，３２が開放されると、装置支持部材２３，２３が正面側へ移動可能となり、図４（ｂ）に示すように、両側の列内に位置する特定のプラズマディスプレイパネル４０が正面側へ所定量引き出され、その背面が露出する。その結果、そのプラズマディスプレイパネル４０の修理やメンテナンスが可能となる。また、取り外しや新たな取り付けも簡単に行なうことができる。なぜなら、プラズマディスプレイパネル４０は、装置支持部材２３，２３に掛け止めされているだけであるからである。
【００３９】
中央の列内に位置する特定のプラズマディスプレイパネル４０を正面側へ引き出すには、先ずそのプラズマディスプレイパネル４０の側方に位置するプラズマディスプレイパネル４０を正面側へ引き出す〔図４（ａ）（ｂ）〕。この操作は前述したとおりである。この操作が終わると、図４（ｃ）に示すように、その引き出されたプラズマディスプレイパネル４０の背面側に形成された隙間から、次に引き出すべき中央のプラズマディスプレイパネル４０の側縁部背面側へ指を入れ、その側縁部背面側にある操作レバー３３の操作部３７をフック３２，３２が開放される方向へ操作する。そして、図４（ｄ）（ｅ）に示すように、中央の列内に位置する特定のプラズマディスプレイパネル４０を正面側へ引き出し、その後、側方のプラズマディスプレイパネル４０を元の位置へ押し込むことにより、中央の列内に位置する特定のプラズマディスプレイパネル４０のみが正面側へ突出する。その結果、そのプラズマディスプレイパネル４０の背面側の修理やメンテナンスが可能となる。更には図４（ｆ）に示すように、そのプラズマディスプレイパネル４０の取り外し、再装着等も可能となる。
【００４０】
このように、本実施形態に係る平面型表示装置取り付け金具は、複数のプラズマディスプレイパネル４０を縦横に組み合わせて大型表示画面を形成した場合にも、その大型表示画面内の任意のプラズマディスプレイパネル４０を正面側へ簡単に引き出すことができる。従って、整備性に優れる。
【００４１】
また、複数サイズのプラズマディスプレイパネル４０を支持でき、経済性に優れる。
【００４２】
更に、支持したプラズマディスプレイパネル４０の高さを微調整することもできる。
【００４３】
なお、上記実施形態では、平面型表示装置を縦横に複数組み合わせて大型表示画面を構成するのに取り付け金具を使用したが、この取り付け金具を平面型表示装置の単体支持に使用できることは言うまでもない。
【００４４】
【発明の効果】
以上に説明したとおり、本発明に係る平面型表示装置取り付け金具は、装置取り付け面に固定されるベース部材と、ベース部材の正面側に平面型表示装置を支持し、その平面型表示装置が正規の支持位置から正面側へ引き出されるように装置支持部材が移動可能に構成された装置支持機構と、前記装置支持部材を正規の支持位置に自動ロックすると共に、そのロック状態を解除する操作部が、前記装置支持部材に支持された平面型表示装置の縁部背面側に位置するロック機構とを具備している。これにより、隣接する取り付け金具に支持された平面型表示装置を正面側へ引き出した状態で形成される隙間から、ロック状態を解除する操作が可能になり、その結果、３×３或いはそれ以上の大型表示画面を形成した場合にも、任意の平面型表示装置を正面側へ簡単に引き出すことができる。従って、平面型表示装置の整備性に優れる。
【図面の簡単な説明】
【図１】本発明の一実施形態を示す平面型表示装置取り付け金具の斜視図である。
【図２】同平面型表示装置取り付け金具の平面図である。
【図３】（ａ）〜（ｃ）は同平面型表示装置取り付け金具に設けられた高さ調整機構の構造説明図である。
【図４】（ａ）〜（ｆ）は同平面型表示装置取り付け金具の使用状態及び使用方法を段階的に説明するための斜視図である。
【符号の説明】
１０  ベース部材
１１  ねじ孔
２０  装置支持機構
２０′支持ユニット
２１  固定式の装置支持部材
２２  リンク機構
２３  可動式の装置支持部材
２４Ａ，２４Ｂ  長孔
２５Ａ，２５Ｂ  開口部
２６  レバー
２７Ａ，２７Ｂ  連結棒
２８  高さ調整機構
３０  ロック機構
３１  連結支持棒
３２  フック
３３  操作レバー
３４  支持部材
３５  ピン
３６  ピン孔
３７  操作部
３９  スプリング
４０  プラズマディスプレイパネル（平面型表示装置）
【図１】
0004594553.tif 000002
【図２】
0004594553.tif 000003
【図３】
0004594553.tif 000004
【図４】
0004594553.tif 000005